(57)【要約】【課題】画像通信装置が中継機の画像処理能力に対応した画像を作成し、中継機に固有の仕様に合わせた電子メールを作成するようにして、画像通信装置のユーザが中継機に固有の画像処理能力及び宛（あ）て先指定方法を意識することなく、中継機によって中継可能な画像を添付した電子メールを送信することができるようにする。【解決手段】ネットワークを介して中継機に接続され、中継機を中継し、指定された相手先に電子メールを送信する画像通信装置であって、相手先を指定する指定手段と、中継機の種類を特定する特定手段と、特定手段によって特定された中継機が中継可能な画像の読み取り形式を選択する選択手段と、選択手段によって選択された読み取り形式に基づいて画像を読み取る画像読み取り手段と、画像読み取り手段が読みとった画像を添付して電子メールを作成する作成手段と、電子メールを中継機に送出する送出手段とを有する。【選択図】図１
2005333299.tif 000002
【特許請求の範囲】
【請求項１】
（ａ）ネットワークを介して中継機に接続され、該中継機を中継し、指定された相手先に電子メールを送信する画像通信装置であって、
（ｂ）前記相手先を指定する指定手段と、
（ｃ）前記中継機の種類を特定する特定手段と、
（ｄ）該特定手段によって特定された前記中継機が中継可能な画像の読み取り形式を選択する選択手段と、
（ｅ）該選択手段によって選択された前記読み取り形式に基づいて画像を読み取る画像読み取り手段と、
（ｆ）該画像読み取り手段が読みとった画像を添付して前記電子メールを作成する作成手段と、
（ｇ）該作成手段によって作成された前記電子メールを前記中継機に送出する送出手段とを有することを特徴とする画像通信装置。
【請求項２】
前記読み取り形式は、複数の設定項目から成り、該複数の設定項目の種類は前記中継機の種類に応じて制限される請求項１に記載の画像通信装置。
【発明の詳細な説明】
【技術分野】
【０００１】
本発明は、画像通信装置に関するものである。
【背景技術】
【０００２】
従来、電子メールをＧＳＴＮ（Ｇｅｎｅｒａｌ  Ｓｗｉｔｃｈｅｄ  Ｔｅｌｅｐｈｏｎｅ  Ｎｅｔｗｏｒｋ：アナログ公衆電話回線網）に中継するための中継機が広く用いられている。このような中継機は、電子メールの本文と電子メールの添付ファイルとを、中継先の装置としてのファクシミリ装置が受信可能なフォーマットに変換して送信するようになっている（例えば、特許文献１参照。）。
【０００３】
この場合、変換可能な添付ファイルの用紙サイズ、解像度、フォーマット、色数等に関しては、中継機に固有の仕様によって定められている。すなわち、添付ファイルの用紙サイズ、解像度、フォーマット、色数等を変換するための画像処理能力は中継機によって各々相違する。また、中継先の装置としてのファクシミリ装置の番号を指定する方法、すなわち、宛（あ）て先指定方法に関しては、ＲＦＣ（Ｒｅｑｕｅｓｔ  ｆｏｒ  Ｃｏｍｍｅｎｔｓ）３１９２において標準が提案されているが、独自の宛て先指定方法を採用する中継機も多く存在する。
【０００４】
一方、前記中継機にＬＡＮ（Ｌｏｃａｌ  Ａｒｅａ  Ｎｅｔｗｏｒｋ）インターフェイスを介して電子メールを送信可能なネットワークスキャナ装置としては、画像を電子メールの添付ファイルとして送信する機能を有し、かつ、画像の用紙サイズ、解像度、フォーマット、色数を様々に選択することができるものが多く存在する。
【特許文献１】特開２００３−８８１５号公報
【発明の開示】
【発明が解決しようとする課題】
【０００５】
しかしながら、前記従来のネットワークスキャナ装置においては、中継機に対して該中継機の画像処理能力を超える添付ファイルを有する電子メールを送信した場合、前記中継機においてエラーが生じてしまう。また、中継機に対して該中継機に固有の宛て先指定方法に従わない電子メールを送信した場合、エラーが生じたり、前記電子メールが意図しない宛て先に中継されたりしてしまう。
【０００６】
本発明は、前記従来の問題点を解決して、画像通信装置が中継機の画像処理能力に対応した画像を作成し、中継機に固有の仕様に合わせた電子メールを作成するようにして、画像通信装置のユーザが中継機に固有の画像処理能力及び宛て先指定方法を意識することなく、中継機によって中継可能な画像を添付した電子メールを送信することができる画像通信装置を提供することを目的とする。
【課題を解決するための手段】
【０００７】
そのために、本発明の画像通信装置においては、ネットワークを介して中継機に接続され、該中継機を中継し、指定された相手先に電子メールを送信する画像通信装置であって、前記相手先を指定する指定手段と、前記中継機の種類を特定する特定手段と、該特定手段によって特定された前記中継機が中継可能な画像の読み取り形式を選択する選択手段と、該選択手段によって選択された前記読み取り形式に基づいて画像を読み取る画像読み取り手段と、該画像読み取り手段が読みとった画像を添付して前記電子メールを作成する作成手段と、該作成手段によって作成された前記電子メールを前記中継機に送出する送出手段とを有する。
【発明の効果】
【０００８】
本発明によれば、画像通信装置は、ネットワークを介して中継機に接続され、該中継機を中継し、指定された相手先に電子メールを送信する画像通信装置であって、前記相手先を指定する指定手段と、前記中継機の種類を特定する特定手段と、該特定手段によって特定された前記中継機が中継可能な画像の読み取り形式を選択する選択手段と、該選択手段によって選択された前記読み取り形式に基づいて画像を読み取る画像読み取り手段と、該画像読み取り手段が読みとった画像を添付して前記電子メールを作成する作成手段と、該作成手段によって作成された前記電子メールを前記中継機に送出する送出手段とを有する。
【０００９】
この場合、画像通信装置のユーザは、中継機に固有の画像処理能力及び宛て先指定方法を意識することなく、中継機によって中継可能な画像を添付した電子メールを送信することができる。
【発明を実施するための最良の形態】
【００１０】
以下、本発明の実施の形態について図面を参照しながら詳細に説明する。
【００１１】
図１は本発明の第１の実施の形態におけるネットワークスキャナ装置の構成を示すブロック図である。
【００１２】
図において、１０は本実施の形態における画像通信装置としてのネットワークスキャナ装置であり、図示されないＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像装置、レンズ、ミラー等の光学装置、蛍光灯等の照明装置を備え、原稿の表面を走査して原稿のイメージ、すなわち、画像を読み取るようになっている。なお、前記ネットワークスキャナ装置１０は、ＣＰＵ、ＭＰＵ等の演算手段、半導体メモリ、磁気ディスク等の記憶手段、入力手段、表示手段、通信インターフェイス等を備える一種のコンピュータであり、あらかじめ組み込まれたプログラムに従って動作を行うようになっている。そして、前記ネットワークスキャナ装置１０は、読み取った原稿の画像を添付ファイルとして添付した電子メールを作成して、所望の宛て先に送信することができるようになっている。そのため、前記ネットワークスキャナ装置１０は、図示されないＬＡＮに接続され、また、該ＬＡＮは、ＧＳＴＮに電子メールを中継するための図示されない中継機に接続されている。
【００１３】
ここで、前記ネットワークスキャナ装置１０は、図に示されるような構成を有する。この場合、１１は、前記ネットワークスキャナ装置１０のユーザが操作し、かつ、該ユーザに対して情報を提供するユーザインターフェイスとして機能する操作パネルである。該操作パネル１１は、押しボタン、スイッチ、タッチパネル等の入力手段、及び、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）ディスプレイ等の表示手段を備える。
【００１４】
また、１２は中継機能力保持部であり、前記中継機の各々について、中継機の種類、添付ファイルの用紙サイズ、解像度、フォーマット、色数等を変換するための画像処理能力等の中継機に固有の情報を記憶領域に保持する。さらに、１４は中継機宛て先指定フォーマット保持部であり、前記中継機の各々について、中継機に固有の電子メールの宛て先指定フォーマットを記憶領域に保持する。
【００１５】
そして、１３は宛て先作成部であり、前記ユーザが操作パネル１１を操作して入力した電子メールの宛て先番号、及び、前記中継機に固有の電子メールの宛て先指定フォーマットに基づいて、電子メールの宛て先指定フィールドとしてのＴｏフィールドに記載すべき文字列を作成する。
【００１６】
また、１５は原稿読み取り部であり、前記撮像装置、光学装置及び照明装置を含み、前記ネットワークスキャナ装置１０のユーザがセットした原稿の画像を読み取る。この場合、前記原稿読み取り部１５は、前記ユーザが操作パネル１１を操作して入力したパラメータに対応する読み取り形式に従って前記原稿の画像を読み取るようになっている。そして、１６は画像処理部であり、前記原稿読み取り部１５が読み取った原稿の画像に対して画像処理を行い、電子メールに添付するための添付ファイルとしての画像ファイルを作成する。この場合、前記画像処理部１６は、前記ユーザが操作パネル１１を操作して入力したパラメータに従って前記原稿の画像ファイルを作成するようになっている。
【００１７】
さらに、１７は電子メール作成部であり、前記宛て先作成部１３が作成した文字列をＴｏフィールドに記載し、前記画像処理部１６が作成した原稿の画像ファイルを添付ファイルとして添付して、電子メールを作成する。また、１８はプロトコル制御部であり、電子メール送信プロトコルを含むネットワークプロトコルを制御する。なお、前記プロトコル制御部１８は、前記電子メール作成部１７が作成した電子メールを受信し、該電子メールを前記電子メール作成部１７からの指示に従って送信する。さらに、１９はＮＩＣ（Ｎｅｔｗｏｒｋ  Ｉｎｔｅｒｆａｃｅ  Ｃａｒｄ）ボードであり、前記ＬＡＮを介して通信を行う。
【００１８】
なお、本実施の形態において、前記ネットワークスキャナ装置１０は、機能の観点から、前記相手先を指定する指定手段と、中継機の種類を特定する特定手段と、該特定手段によって特定された前記中継機が中継可能な画像の読み取り形式を選択する選択手段と、該選択手段によって選択された前記読み取り形式に基づいて画像を読み取る画像読み取り手段と、該画像読み取り手段が読みとった画像を添付して電子メールを作成する作成手段と、該作成手段によって作成された電子メールを中継機に送出する送出手段とを有する。この場合、前記相手先は、ＧＳＴＮに接続されたファクシミリ装置等の通信装置である。そして、指定手段、特定手段及び選択手段には操作パネル１１が該当し、画像読み取り手段には原稿読み取り部１５が該当し、作成手段には電子メール作成部１７が該当し、送出手段にはプロトコル制御部１８が該当する。
【００１９】
次に、前記構成のネットワークスキャナ装置１０の動作について説明する。ここで、操作パネル１１は、表示手段と入力手段との機能を兼ね備えるタッチパネルを備えるものとして説明する。
【００２０】
図２は本発明の第１の実施の形態における中継機に固有の画像処理能力のデータ構成を示す図、図３は本発明の第１の実施の形態における操作パネルの入力画面を示す図、図４は本発明の第１の実施の形態における中継機に固有の宛て先指定フォーマットのデータ構成を示す図、図５は本発明の第１の実施の形態における電子メールアドレスの例を示す図、図６は本発明の第１の実施の形態における中継機に発信させる電子メールの例を示す図、図７は本発明の第１の実施の形態におけるネットワークスキャナ装置の電子メール通信処理の動作を示すフローチャートである。
【００２１】
この場合、中継機宛て先指定フォーマット保持部１４には、中継機の各々について、中継機に固有の電子メールの宛て先指定方法に従い、中継先番号に前置するべき文字列及び後置するべき文字列が、中継機ＩＤとともに、あらかじめ登録されている。なお、前記中継先はＧＳＴＮに接続されたファクシミリ装置等の相手先としての通信装置であり、前記中継先番号は前記通信装置のファクシミリ番号等の番号である。また、中継機ＩＤは、各中継機を識別するための名称、番号等であり、本実施の形態においては、例えば、Ｒｅｌａｙ１、Ｒｅｌａｙ２、Ｒｅｌａｙ３等のようになっている。さらに、前記文字列には、必要に応じて、中継機自身のメールアドレスが含まれていてもよい。
【００２２】
まず、操作パネル１１は、送信先種別として、通常の電子メールの宛て先と中継機ＩＤとの一覧を選択可能にタッチパネルに表示し、ユーザに選択を促す。そして、該ユーザは、前記タッチパネルを操作して、前記一覧の中から通常の電子メールの宛て先又は中継機ＩＤのいずれかを選択する、すなわち、中継機ＩＤ又は通常メール送信指示を入力する。すると、ネットワークスキャナ装置１０は、通常の電子メールの宛て先又は中継機ＩＤのいずれかが選択されたか、すなわち、送信先種別が中継機であるか否かを判断する。
【００２３】
そして、送信先種別が中継機である場合、操作パネル１１は、中継先番号を入力する画面をタッチパネルに表示して、前記ユーザに中継先番号の入力を促す。続いて、前記ユーザは、前記タッチパネルを操作して、所望の中継先番号、例えば、１２３４を入力する。続いて、前記ユーザが選択した中継機ＩＤ及び前記ユーザが入力した中継先番号が、操作パネル１１から宛て先作成部１３に送信される。また、前記操作パネル１１は、ユーザが選択した中継機ＩＤに基づいて、中継機能力保持部１２から選択された中継機に固有の画像処理能力を取得する。
【００２４】
ここで、前記中継機能力保持部１２には、図２に示されるように、中継機に固有の画像処理能力のデータが記憶領域に保持されている。この場合、各中継機ＩＤ毎に、中継機の種類、添付ファイルの用紙サイズ、フォーマット、解像度及び色数が設定されている。なお、図２のフォーマットの欄におけるＰＤＦはＰｏｒｔａｂｌｅ  Ｄｏｃｕｍｅｎｔ  Ｆｏｒｍａｔ、ＪＰＥＧはＪｏｉｎｔ  Ｐｈｏｔｏｇｒａｐｈｉｃ  Ｅｘｐｅｒｔ  Ｇｒｏｕｐ、及び、ＴＩＦＦはＴａｇ  Ｉｍａｇｅ  Ｆｉｌｅ  Ｆｏｒｍａｔの略である。また、解像度の単位はｄｐｉ（ｄｏｔ  ｐｅｒ  ｉｎｃｈ）である。
【００２５】
そして、前記操作パネル１１は、取得した中継機に固有の画像処理能力に基づいて、図３に示されるように、タッチパネルにパラメータとしての用紙サイズ、フォーマット、解像度及び色数を選択可能に表示し、ユーザに選択を促す。この場合、用紙サイズ、フォーマット、解像度及び色数の各パラメータは、中継機に固有の画像処理能力を超えない範囲の値だけが選択可能に表示される。すなわち、選択可能な用紙サイズ、フォーマット、解像度、色数を表示する。そして、前記ユーザは、前記タッチパネルを操作して、選択した用紙サイズ、フォーマット、解像度、色数を入力する。これにより、ネットワークスキャナ装置１０は、ユーザが選択した用紙サイズ、フォーマット、解像度及び色数の値を取得する。
【００２６】
続いて、宛て先作成部１３は、ユーザが選択した中継機ＩＤに基づいて、中継機宛て先指定フォーマット保持部１４から中継機に固有の宛て先指定フォーマットを取得する。ここで、前記中継機宛て先指定フォーマット保持部１４には、図４に示されるように、中継機に固有の宛て先指定フォーマットのデータが記憶領域に保持されている。この場合、中継機に固有の電子メールの宛て先指定フォーマットが示されており、各中継機ＩＤ毎に、中継先番号に前置するべき文字列、すなわち、中継先番号の前置文字列、及び、後置するべき文字列、すなわち、中継先番号の後置文字列が設定されている。なお、前記文字列には、r1@mail.net 、r2@mail.net 等のように、中継機自身のメールアドレスが含まれていてもよい。
【００２７】
続いて、前記宛て先作成部１３は、中継先番号及び中継機に固有の宛て先指定フォーマットに基づいて、電子メールアドレスを作成する、すなわち、宛て先を作成する。ここで、前記中継先番号が１２３４であり、中継機に固有の宛て先指定フォーマットが図４に示されるようなものである場合、図５に示されるような電子メールアドレスが作成される。このようにして作成された電子メールアドレスは、前記宛て先作成部１３から電子メール作成部１７に送信される。
【００２８】
そして、前記ユーザは、前記タッチパネルを操作して、読み取り開始指示を入力する。すると、前記ユーザが選択した用紙サイズ、フォーマット、解像度及び色数の値が、読み取り開始指示とともに操作パネル１１から原稿読み取り部１５に送信される。そして、該原稿読み取り部１５は、前記ユーザが選択したパラメータとしての用紙サイズ、フォーマット、解像度及び色数に従って、前記セットした原稿の画像を読み取る。続いて、読み取られた原稿の画像は、前記ユーザが選択した用紙サイズ、フォーマット、解像度及び色数の値とともに、原稿読み取り部１５から画像処理部１６に送信される。
【００２９】
すると、該画像処理部１６は、前記原稿読み取り部１５が読み取った原稿の画像に対して画像処理を行い、電子メールに添付するための添付ファイルとしての画像ファイルを作成する。この場合、前記画像処理部１６は、前記ユーザが選択したパラメータとしての用紙サイズ、フォーマット、解像度及び色数の値に従って、前記原稿の画像ファイルを作成する。そして、作成された前記原稿の画像ファイルは画像処理部１６から電子メール作成部１７に送信される。
【００３０】
続いて、該電子メール作成部１７は、電子メールを作成する。この場合、前記電子メール作成部１７は、電子メールのヘッダにおけるＴｏフィールドに前記宛て先作成部１３が作成した電子メールアドレスを記載し、前記画像処理部１６が作成した画像ファイルを符号化して電子メールに添付する。そして、前記電子メール作成部１７は、プロトコル制御部１８に電子メールを渡して、送信開始を指示する。これにより、前記プロトコル制御部１８は、ＮＩＣボード１９を介して、図６に示されるような前記電子メールを中継機に送信し、処理を終了する。
【００３１】
なお、送信先種別が中継機であるか否かを判断して、送信先種別が中継機でない場合には、ネットワークスキャナ装置１０は通常の電子メールを作成して送信するようになっている。
【００３２】
次に、フローチャートについて説明する。
ステップＳ１  ユーザは中継機ＩＤ又は通常メール送信指示を入力する。
ステップＳ２  送信先種別が中継機であるか否かを判断する。送信先種別が中継機である場合はステップＳ３に進み、送信先種別が中継機でない場合はステップＳ１３に進む。
ステップＳ３  ユーザは中継先番号を入力する。
ステップＳ４  中継機に固有の画像処理能力を取得する。
ステップＳ５  選択可能な用紙サイズ、フォーマット、解像度、色数を表示する。
ステップＳ６  ユーザは用紙サイズ、フォーマット、解像度、色数を入力する。
ステップＳ７  中継機に固有の宛て先指定フォーマットを取得する。
ステップＳ８  宛て先を作成する。
ステップＳ９  ユーザは読み取り開始指示を入力する。
ステップＳ１０  画像処理を行い、添付ファイルを作成する。
ステップＳ１１  電子メールを作成する。
ステップＳ１２  電子メールを中継機に送信し、処理を終了する。
ステップＳ１３  通常の電子メールを作成して送信し、処理を終了する。
【００３３】
このように、本実施の形態において、ネットワークスキャナ装置１０は、中継機の画像処理能力に対応した画像を作成し、かつ、中継機に固有の電子メールの宛て先指定フォーマットに合わせた電子メールを作成するようになっている。そのため、ユーザは中継機に固有の画像処理能力及び宛て先指定方法を意識することなく、中継機が正常に中継することができる電子メールを送信することができる。
【００３４】
次に、本発明の第２の実施の形態について説明する。なお、第１の実施の形態と同じ構成を有するものは、同じ符号を付与することによってその説明を省略する。また、前記第１の実施の形態と同じ動作及び同じ効果についても、その説明を省略する。
【００３５】
図８は本発明の第２の実施の形態における中継機に固有の画像処理能力のデータ構成を示す図、図９は本発明の第２の実施の形態における操作パネルの入力画面を示す図である。
【００３６】
本実施の形態においては、中継機能力保持部１２において記憶領域に保持されている中継機に固有の画像処理能力のデータがより細分化されている。その他の点の構成については、前記第１の実施の形態と同様であるので説明を省略する。
【００３７】
まず、操作パネル１１は、送信先種別として、通常の電子メールの宛て先と中継機ＩＤとの一覧を選択可能にタッチパネルに表示し、ユーザに選択を促す。なお、本実施の形態における中継機ＩＤは、Ｒｅｌａｙ４、Ｒｅｌａｙ５等のようになっている。そして、前記ユーザは、前記タッチパネルを操作して、前記一覧の中から通常の電子メールの宛て先又は中継機ＩＤのいずれかを選択する。すると、ネットワークスキャナ装置１０は、通常の電子メールの宛て先又は中継機ＩＤのいずれかが選択されたか、すなわち、送信先種別が中継機であるか否かを判断する。
【００３８】
そして、送信先種別が中継機である場合、操作パネル１１は、中継先番号を入力する画面をタッチパネルに表示して、前記ユーザに中継先番号の入力を促す。続いて、前記ユーザは、前記タッチパネルを操作して、所望の中継先番号を入力する。続いて、前記ユーザが選択した中継機ＩＤ及び前記ユーザが入力した中継先番号が、操作パネル１１から宛て先作成部１３に送信される。また、前記操作パネル１１は、ユーザが選択した中継機ＩＤに基づいて、中継機能力保持部１２から選択された中継機に固有の画像処理能力を取得する。
【００３９】
ここで、前記中継機能力保持部１２には、図８に示されるように、中継機に固有の画像処理能力のデータが記憶領域に保持されている。この場合、各中継機ＩＤ毎に、中継機の種類、添付ファイルの用紙サイズ、フォーマット、解像度及び色数が、前記第１の実施の形態よりも詳細に設定されている。
【００４０】
そして、前記操作パネル１１は、取得した中継機に固有の画像処理能力に基づいて、図９に示されるように、タッチパネルにパラメータとしての用紙サイズ、フォーマット、解像度及び色数を選択可能に表示し、ユーザに選択を促す。この場合、用紙サイズ、フォーマット、解像度及び色数の各パラメータは、中継機に固有の画像処理能力を超えない範囲の値だけが選択可能に表示される。すなわち、中継機に固有の画像処理能力を超えて選択することが不可能なパラメータを表示させないようになっている。図９に示される例は、中継機ＩＤがＲｅｌａｙ４であって、フォーマットとしてＰＤＦが選択され、解像度として６００〔ｄｐｉ〕が選択された場合を示している。この場合、選択可能な色数はモノクロか２４ビットカラーのいずれかである。したがって、色数の選択肢として８ビットグレースケールを非表示とし、ユーザが選択することができないようになっている。そして、ネットワークスキャナ装置１０は、ユーザが選択した用紙サイズ、フォーマット、解像度及び色数の値を取得する。
【００４１】
続いて、宛て先作成部１３は、ユーザが選択した中継機ＩＤに基づいて、中継機宛て先指定フォーマット保持部１４から中継機に固有の宛て先指定フォーマットを取得する。続いて、前記宛て先作成部１３は、中継先番号及び中継機に固有の宛て先指定フォーマットに基づいて、電子メールアドレスを作成する、すなわち、宛て先を作成する。このようにして作成された電子メールアドレスは、前記宛て先作成部１３から電子メール作成部１７に送信される。
【００４２】
そして、前記ユーザは、前記タッチパネルを操作して、読み取り開始指示を入力する。すると、前記ユーザが選択した用紙サイズ、フォーマット、解像度及び色数の値が、読み取り開始指示とともに操作パネル１１から原稿読み取り部１５に送信される。そして、該原稿読み取り部１５は、前記ユーザが選択したパラメータとしての用紙サイズ、フォーマット、解像度及び色数に従って、前記セットした原稿の画像を読み取る。続いて、読み取られた原稿の画像は、前記ユーザが選択した用紙サイズ、フォーマット、解像度及び色数の値とともに、原稿読み取り部１５から画像処理部１６に送信される。
【００４３】
すると、該画像処理部１６は、前記原稿読み取り部１５が読み取った原稿の画像に対して画像処理を行い、電子メールに添付するための添付ファイルとしての画像ファイルを作成する。この場合、前記画像処理部１６は、前記ユーザが選択したパラメータとしての用紙サイズ、フォーマット、解像度及び色数の値に従って、前記原稿の画像ファイルを作成する。そして、作成された前記原稿の画像ファイルは画像処理部１６から電子メール作成部１７に送信される。
【００４４】
続いて、該電子メール作成部１７は、電子メールを作成する。この場合、前記電子メール作成部１７は、電子メールのヘッダにおけるＴｏフィールドに前記宛て先作成部１３が作成した電子メールアドレスを記載し、前記画像処理部１６が作成した画像ファイルを符号化して電子メールに添付する。そして、前記電子メール作成部１７は、プロトコル制御部１８に電子メールを渡して、送信開始を指示する。これにより、前記プロトコル制御部１８は、ＮＩＣボード１９を介して、前記電子メールを中継機に送信し、処理を終了する。
【００４５】
なお、送信先種別が中継機であるか否かを判断して、送信先種別が中継機でない場合には、ネットワークスキャナ装置１０は通常の電子メールを作成して送信するようになっている。
【００４６】
このように、本実施の形態においては、ネットワークスキャナ装置１０は、中継機に固有の画像処理能力を細分化し、各中継機の画像処理能力の組み合わせを中継機能力保持部１２が記憶領域に保持するようになっている。これにより、各中継機に固有の仕様に対して詳細に対応することができる。
【００４７】
なお、本発明は前記実施の形態に限定されるものではなく、本発明の趣旨に基づいて種々変形させることが可能であり、それらを本発明の範囲から排除するものではない。
【図面の簡単な説明】
【００４８】
【図１】本発明の第１の実施の形態におけるネットワークスキャナ装置の構成を示すブロック図である。
【図２】本発明の第１の実施の形態における中継機に固有の画像処理能力のデータ構成を示す図である。
【図３】本発明の第１の実施の形態における操作パネルの入力画面を示す図である。
【図４】本発明の第１の実施の形態における中継機に固有の宛て先指定フォーマットのデータ構成を示す図である。
【図５】本発明の第１の実施の形態における電子メールアドレスの例を示す図である。
【図６】本発明の第１の実施の形態における中継機に発信させる電子メールの例を示す図である。
【図７】本発明の第１の実施の形態におけるネットワークスキャナ装置の電子メール通信処理の動作を示すフローチャートである。
【図８】本発明の第２の実施の形態における中継機に固有の画像処理能力のデータ構成を示す図である。
【図９】本発明の第２の実施の形態における操作パネルの入力画面を示す図である。
【符号の説明】
【００４９】
１０    ネットワークスキャナ装置
１１    操作パネル
１５    原稿読み取り部
１７    電子メール作成部
１８    プロトコル制御部
【図１】
2005333299.tif 000003
【図２】
2005333299.tif 000004
【図３】
2005333299.tif 000005
【図４】
2005333299.tif 000006
【図５】
2005333299.tif 000007
【図６】
2005333299.tif 000008
【図７】
2005333299.tif 000009
【図８】
2005333299.tif 000010
【図９】
2005333299.tif 000011